(57)【要約】【課題】カメラの使用状態に応じて把手部のスイッチに異なった機能を割り当てるようにしたテレビジョンカメラの把手部スイッチ設定方法を提供すること。【解決手段】テレビションカメラの本体上面に設けられた把手部１４に配置した二つのスイッチ１１，１２の機能を設定する方法であって、液晶パネル１６によってテレビジョンカメラを肩に担いで撮影するモード１または肩から外して把手部１４を持って撮影するモード２のいずれかを選択し、モード１のとき把手部１４の二つのスイッチ１１．１２に対して第１の機能を割り当て、モード２のときは、カメラ本体側に設けた第３のスイッチ１３のオンオフにより、把手部１４の二つのスイッチ１１，１２対して第１の機能とは異なる第２または第３の機能を割り当てるようにした。【選択図】      図１
2010034825.tif 000002
【特許請求の範囲】
【請求項１】
テレビションカメラの本体上面に設けられた把手部に配置した二つのスイッチの機能を設定する方法であって、
モード設定手段によってテレビジョンカメラを肩に担いで撮影するモード１または肩から外して把手部を持って撮影するモード２のいずれかを選択し、
前記モード１のとき前記把手部の二つのスイッチに対して第１の機能を割り当て、
前記モード２のときは、カメラ本体側に設けた第３のスイッチのオンオフにより、前記把手部の二つのスイッチに対して前記第１の機能とは異なる第２または第３の機能を割り当てることを特徴とするテレビジョンカメラの把手部スイッチ設定方法。
【請求項２】
請求項１に記載のテレビジョンカメラの把手部スイッチ設定方法において、
前記第１の機能は、前記二つのスイッチを撮影映像の記録開始と撮影映像確認用のリターン信号の切り替えとして割り当てることを特徴とするテレビジョンカメラの把手部スイッチ設定方法。
【請求項３】
請求項１に記載のテレビジョンカメラの把手部スイッチ設定方法において、
前記第３のスイッチがオフのときの前記第２の機能は、前記二つのスイッチをズーム制御のテレとワイドとして割り当て、
前記第３のスイッチがオンのときの前記第３の機能は、前記二つのスイッチをフォーカス制御のテレとワイドとして割り当てることを特徴とするテレビジョンカメラの把手部スイッチ設定方法。
【請求項４】
請求項１に記載のテレビジョンカメラの把手部スイッチ設定方法において、
前記モード２のときの前記二つのスイッチは、一方のスイッチが単独で長押しされたとき加速制御動作し、二つ同時押しされたときはその時点における制御速度を保持することを特徴とするテレビジョンカメラの把手部スイッチ設定方法。
【発明の詳細な説明】
【技術分野】
【０００１】
本発明は、テレビジョンカメラの把手部に設けた二つのスイッチの機能をテレビジョンカメラの使用状態によって切り替え設定する方法に関するものである。
【背景技術】
【０００２】
放送用のテレビジョンカメラには、固定した場所で使用するライブカメラと、持ち運びが可能で肩に担いで使用するハンディカメラがある。ハンディカメラは小型・計量であり、撮影映像を記録するハードディスクなどの録画部を具えたものもある。ハンディカメラは、通常は肩に担いで、片目で電子ビューファインダー（ＥＶＦ）を覗きながら撮影を行う。足下などの低い場所を撮影するときはカメラを肩から外し、カメラ本体の上面に設けられた把手部を持って撮影する。把手部には、通常一つまたは二つの操作スイッチを設け、そのスイッチを操作することにより撮影を行う。
【０００３】
特許文献１には、このようなハンディカメラの一つとして、カメラ本体の上面に設けた把手部（ハンドル）に、撮影開始または終了を指示するトリガースイッチと、撮影画角を操作するズームスイッチを具えたテレビジョンカメラが開示されている。
【０００４】
【特許文献１】特開平１０−１５５１０２号公報（明細書全文、図面全図）
【発明の開示】
【発明が解決しようとする課題】
【０００５】
上記したように、特許文献１には把手部にトリガースイッチとズームスイッチを具えたテレビジョンカメラが開示されているが、これらの把手部スイッチはその機能が固定であり、予め定められた単一の機能しか果たさない。したがって、把手部を持ってローアングルで撮影するときには好ましいテレビジョンカメラとなるが、通常の肩に担いで使用するときには、同じ機能のスイッチがレンズ側やカメラ本体側にもあるため、把手部スイッチは無駄になる可能性がある。
【０００６】
本発明は、上述した問題点を鑑みて、カメラの使用状態に応じて把手部の二つのスイッチに異なった機能を割り当てるようにしたテレビジョンカメラの把手部スイッチ設定方法を提供することを目的とするものである。
【課題を解決するための手段】
【０００７】
請求項１の発明は、テレビションカメラの本体上面に設けられた把手部に配置した二つのスイッチの機能を設定する方法であって、モード設定手段によってテレビジョンカメラを肩に担いで撮影するモード１または肩から外して把手部を持って撮影するモード２のいずれかを選択し、前記モード１のとき前記把手部の二つのスイッチに対して第１の機能を割り当て、前記モード２のときは、カメラ本体側に設けた第３のスイッチのオンオフにより、前記把手部の二つのスイッチに対して前記第１の機能とは異なる第２または第３の機能を割り当てることを特徴とするものである。
【０００８】
請求項２の発明は、前記請求項１の発明において、前記第１の機能は、前記二つのスイッチを撮影映像の記録開始と撮影映像確認用のリターン信号の切り替えとして割り当てることを特徴とするものである。
【０００９】
請求項３の発明は、前記請求項１の発明において、前記第３のスイッチがオフのときの前記第２の機能は、前記二つのスイッチをズーム制御のテレとワイドとして割り当て、前記第３のスイッチがオンのときの前記第３の機能は、前記二つのスイッチをフォーカス制御のテレとワイドとして割り当てることを特徴とするものである。
【００１０】
請求項４の発明は、前記請求項１の発明において、前記モード２のときの前記二つのスイッチは、一方のスイッチが単独で長押しされたとき加速制御動作し、二つ同時押しされたときはその時点における制御速度を保持することを特徴とするものである。
【発明の効果】
【００１１】
請求項１の発明によれば、把手部に設けた二つのスイッチの機能をモード選択と第３のスイッチのオンオフによって切り替える構成としたので、肩に担いで撮影する場合と、肩から外してローアングルの低い姿勢で撮影する場合とで各スイッチに異なった機能を割り当てることが可能となり、撮影時の操作性を向上できるという効果を有する。
【００１２】
請求項２の発明によれば、把手部に設けた二つのスイッチを撮影映像の記録開始用のトリガースイッチと撮影映像確認用のリターンスイッチとして割り当てるようにしたので、肩に担いで使用する場合に従前のテレビジョンカメラよりも操作がしやすくなるという効果を有する。
【００１３】
請求項３の発明によれば、把手部に設けた二つのスイッチをレンズのズーム制御とフォーカス制御におけるワイドスイッチとテレスイッチとして割り当てるようにしたので、ローアングルの低姿勢で上部側からカメラを操作する場合に、今まではレンズの高さがカメラよりも低くなるために操作しづらかったものが把手部のスイッチで操作できるようになり、従来とは逆に操作しやすくなるという効果を有する。
【００１４】
請求項４の発明によれば、一方のスイッチが単独で長押しされたとき加速制御し、二つ同時押しされたときはその時点における制御速度を保持するようにしたので、レンズ側に設けられているワイド／テレのシーソースイッチと同じように速度制御が可能となり、ローアングル撮影時のレンズ制御がしやすくなるという効果を有する。
【発明を実施するための最良の形態】
【００１５】
本発明の実施の形態について、図１〜図３を参照して説明する。
図１は本発明方法を適用して構成したテレビジョンカメラのスイッチの配置例を示すもので、（ａ）はテレビジョンカメラを上方から見た平面図、（ｂ）はその側面図である。図において、１１は第１のスイッチ、１２は第２のスイッチ、１３は第３のスイッチ、１４は把手部、１５はカメラ本体、１６はモード設定手段を構成する液晶パネル、１７はレンズ、１８はズーム制御スイッチ、１９はカメラを肩に当てて担ぐための肩当てである。なお、カメラ本体に付属している電子ビューファインダー（ＥＶＦ）は図示を略した。
【００１６】
前記第１のスイッチ１１と第２のスイッチ１２は、カメラ本体１５の上面に取り付けられた把手部１４に配置されている。また、第３のスイッチ１３は、カメラ本体１５の上面適宜位置に配置されている。図示例の場合、これら３つのスイッチ１１，１２，１３はすべて押し釦スイッチとした。
【００１７】
液晶パネル１６は、カメラ本体１５の側面に設けられている。この液晶パネルは開閉式となっており、通常はカメラ本体に収納され、使用時に開けるようになっている。この液晶パネル１６には、テレビジョンカメラの操作に必要な種々の情報や後述する本発明の操作モードの選択画面などが表示され、キー操作によって所望の機能やモードを選択可能とされている。ズーム制御スイッチ１８はＷＩＤＥ（広角化）釦とＴＥＬ（望遠化）釦を備えたシーソースイッチからなり、レンズ１７に一体的に取り付けられている。なお、レンズ１７はコネクタ（図示略）によってカメラ本体１５につながれており、カメラ本体側から制御可能とされている。
【００１８】
まず最初に、本発明による把手部スイッチの機能設定動作について、その概略を説明する。
【００１９】
肩当て１９を肩に当て、テレビジョンカメラを担ぐようして撮影する場合は、液晶パネル１６に表示したモード選択画面からモード１を選択する。このモード１では、第１のスイッチ１１は撮影映像の記録開始（ＲＥＣ）スイッチ、第２のスイッチ１２は撮影映像確認用のリターン信号に切り替えるリターン（ＲＥＴ）スイッチに設定される（第１の機能）。レンズ１７のズーム制御やフォーカス制御については、レンズ１７に付随しているズーム制御スイッチ１８やフォーカス調整用レンズを操作して行う。
【００２０】
一方、肩当て１９を肩から外し、把手部１４を持ってローアングルで撮影する場合は、液晶パネル１６でモード２を選択する。このモード２では、第３のスイッチ１３のオンオフ状態により、第１のスイッチ１１および第２のスイッチ１２をズーム（ＺＯＯＭ）制御用のスイッチにするか、フォーカス（ＦＯＣＵＳ）制御用のスイッチにするかが割り当てられる。
【００２１】
すなわち、第３のスイッチ１３がオフの場合、第１のスイッチ１１および第２のスイッチ１２はＺＯＯＭ制御のＷＩＤＥとＴＥＬスイッチに設定される（第２の機能）。また、第３のスイッチ１３がオンの場合は、第１のスイッチ１１および第２のスイッチ１２はＦＯＣＵＳ制御のＷＩＤＥとＴＥＬスイッチに設定される（第３の機能）。
【００２２】
次に、上記機能設定動作の詳細について、図２のフローチャートを参照して説明する。
【００２３】
まず、図２のステップＳ２０で、液晶パネル１６で選択されたモードが「モード１」か「モード２」かを判定する。モード１は、肩当て１９を肩に当て、テレビジョンカメラを担ぐようして撮影するモードである。モード２は、肩当て１９を肩から外し、把手部１４を持ってローアングルで撮影するモードである。
【００２４】
モード１の場合、第１の機能を設定するためにステップＳ２１へ、モード２の場合は第２の機能または第３の機能を設定するためにステップＳ２３へ進む。
【００２５】
ステップＳ２１は、第１の機能として、第１のスイッチ１１を撮影映像の記録開始用のＲＥＣスイッチに設定する。その後ステップＳ２２へ進む。ステップＳ２２は、第１の機能として、第２のスイッチ１２を撮影映像確認用のＲＥＴスイッチに設定する。設定後、第１の機能の設定は終了する。これにより、第１のスイッチ１１を押せば、撮影映像の記録が開始される。また、第２のスイッチ１２を押せば、撮影映像確認用のリターン信号に切り替えられ、現在撮影中の映像が電子ビューファインダー（図示略）に映し出される。
【００２６】
ステップＳ２３は、第２の機能または第３の機能を設定するためのもので、第３のスイッチ１３がオンかオフかを判定する。オフの場合は第２の機能設定のためにステップＳ２４へ進み、オンの場合は第３の機能設定のためにステップＳ２６へ進む。
【００２７】
ステップＳ２４は、第２の機能として、第１のスイッチ１１をＺＯＯＭ制御のＴＥＬスイッチに設定する。設定後、ステップＳ２５へ進む。ステップＳ２５は、第２の機能として、第２のスイッチ１２をＺＯＯＭ制御のＷＩＤＥスイッチに設定する。設定後、第２の機能の設定は終了する。これにより、第１のスイッチ１１を押せば、ＺＯＯＭのＴＥＬ動作（望遠化）が開始される。また、第２のスイッチ１２を押せば、ＺＯＯＭのＷＩＤＥ動作（広角化）が開始される。
【００２８】
ステップＳ２６は、第３の機能として、第１のスイッチ１１をＦＯＣＵＳ制御のＴＥＬスイッチに設定する。設定後、ステップＳ２７へ進む。ステップＳ２７は、第３の機能として、第２のスイッチ１２をＦＯＣＵＳ制御のＷＩＤＥスイッチに設定する。設定後、第３の機能の設定は終了する。これにより、第１のスイッチ１１を押せば、ＦＯＣＵＳのＴＥＬ動作（ピントの合っている位置を遠方側へ移動する動作）が開始される。また、第２のスイッチ１２を押せば、ＦＯＣＵＳのＷＩＤＥ動作（ピントの合っている位置を近距離側へ移動する動作）が開始される。以上で、第１のスイッチ１１と第２のスイッチ１２の機能設定は終了する。
【００２９】
上記第１、第２のスイッチ１１，１２の機能設定動作をまとめると、下記の表１、表２のようになる。
【００３０】
【表１】
2010034825.tif 000003
【００３１】
【表２】
2010034825.tif 000004
【００３２】
上記図２のフローチャートにおいて、モード２に設定した場合（ステップＳ２０のＮ側）、第１のスイッチ１１と第２のスイッチ１２は、第３のスイッチ１３のオンオフに応じてＺＯＯＭ制御のＴＥＬ／ＷＩＤＥスイッチ（ステップＳ２４，２５）、またはＦＯＣＵＳ制御のＴＥＬ／ＷＩＤＥスイッチ（ステップＳ２６，２７）に割り当てられるが、これらＺＯＯＭ制御およびＦＯＣＵＳ制御におけるＴＥＬ動作とＷＩＤＥ動作の制御速度をスイッチ１１，１２の操作によってコントロールする方法を、図３のフローチャートを参照して説明する。
【００３３】
図３のステップＳ３０は、第１のスイッチ１１がオンかオフかを判定する。オンの場合はステップＳ３１へ進み、オフの場合はステップＳ３５へ進む。
【００３４】
ステップＳ３１は、第２のスイッチ１２がオンかオフかを判定する。オフの場合はステップＳ３２へ進み、オンの場合はステップＳ３４へ進む。
【００３５】
ステップＳ３２は、スイッチ１１が長押しか否かを判定する。長押しであるか否かは、スイッチを所定時間（例えば３秒間）オンし続けているか否かで判定する。長押しならばステップＳ３３へ進み、長押しでなければこのフローチャートを終了する。
【００３６】
ステップＳ３３は、ＺＯＯＭ制御またはＦＯＣＵＳ制御におけるＴＥＬ動作に関して、そのＴＥＬ動作の速度を加速制御する。その後、このフローチャートを終了する。
【００３７】
ステップＳ３４は、そのときの動作速度を一定に保持する。すなわち、二つのスイッチ１１，１２が同時押しされた場合には、加速も減速もしない。その後、このフローチャートを終了する。
【００３８】
ステップＳ３５は、第２のスイッチ１２がオンかオフかを判定する。オンの場合はステップＳ３６へ進み、オフの場合はこのフローチャートを終了する。
【００３９】
ステップＳ３６は、第２のスイッチ１２が長押しか否かを判定する。長押しであるか否かは、スイッチを所定時間（例えば３秒間）オンし続けているか否かで判定する。長押しならばステップＳ３７へ進み、長押しでなければこのフローチャートを終了する。
【００４０】
ステップＳ３７は、ＺＯＯＭ制御またはＦＯＣＵＳ制御におけるＷＩＤＥ動作に関して、そのＷＩＤＥ動作の速度を加速制御する。その後、このフローチャートを終了する。以上で図３のフローチャートは終了する。
【００４１】
図３の速度制御動作をまとめると、下記の表３のようになる。
【００４２】
【表３】
2010034825.tif 000005
【００４３】
以上、本発明の実施の形態について説明したが、本発明は上記実施の形態に限定されるものではなく、種々の変形が可能である。例えば、モード設定手段として液晶パネル１６を用いたが、これに代えてタッチパネル、スイッチなど他の方法を用いてもよい。また、第１〜第３のスイッチのすべてを押し釦スイッチとしたが、第１および第２のスイッチ１１，１２については押し釦スイッチとし、第３のスイッチ１３のみをスライドスイッチとしてもよい。
【産業上の利用可能性】
【００４４】
本発明は、カメラ本体上面に把手部を有する放送用のテレビジョンカメラに用いて有用である。
【図面の簡単な説明】
【００４５】
【図１】本発明方法を適用して構成したテレビジョンカメラのスイッチの配置例を示すもので、（ａ）はテレビジョンカメラを上方から見た平面図、（ｂ）はその側面図である。
【図２】把手部スイッチの機能設定動作のフローチャートである。
【図３】モード２に設定した場合におけるＴＥＬ動作とＷＩＤＥ動作の速度制御方法のフローチャートである。
【符号の説明】
【００４６】
１１    第１のスイッチ
１２    第２のスイッチ
１３    第３のスイッチ
１４    把手部
１５    カメラ本体
１６    液晶パネル（モード設定手段）
１７    レンズ
１８    ズーム制御スイッチ
１９    肩当て
【図１】
2010034825.tif 000006
【図２】
2010034825.tif 000007
【図３】
2010034825.tif 000008